(57)【要約】【課題】大型情報表示装置と情報表示装置との２種類の表示装置が、自在に連携して表示を行うことができる。【解決手段】ハンディ端末６は、電子棚札端末１を一意に特定する情報と、大型電子棚札端末２を一意に特定する情報との入力を受け付ける入力部と、電子棚札端末１を一意に特定する情報と、大型電子棚札端末２を一意に特定する情報とをＥＳＬサーバ３に送信する送信部と、を備える。ＥＳＬサーバ３は、ハンディ端末６の送信部から送信される情報を受信する管理装置受信部と、電子棚札端末１を一意に特定する情報と、大型電子棚札端末２を一意に特定する情報とを関連付けて記憶する管理装置記憶部と、を備える。【選択図】図１
2011096040.tif 000002
【特許請求の範囲】
【請求項１】
情報表示装置と、大型情報表示装置と、管理装置と、ハンディ端末とを含む情報表示システムにおいて、
前記ハンディ端末は、
情報表示装置を一意に特定する情報と、大型情報表示装置を一意に特定する情報との入力を受け付ける入力部と、
前記情報表示装置を一意に特定する情報と、前記大型情報表示装置を一意に特定する情報とを前記管理装置に送信する送信部と、
を備え、
前記管理装置は、
前記ハンディ端末の送信部から送信される情報を受信する管理装置受信部と、
前記情報表示装置を一意に特定する情報と、前記大型情報表示装置を一意に特定する情報とを関連付けて記憶する管理装置記憶部と、
を備えたことを特徴とする情報表示システム。
【請求項２】
前記入力部は、さらに、商品を一意に特定する情報の入力を受け付け、
前記送信部は、前記情報表示装置を一意に特定する情報と、前記大型情報表示装置を一意に特定する情報と、前記商品を一意に特定する情報とを前記管理装置に送信し、
前記管理装置は、
前記送信部から送信された、前記情報表示装置を一意に特定する情報と、前記大型情報表示装置を一意に特定する情報と、前記商品を一意に特定する情報とを、前記管理装置記憶部が関連付けて記憶する情報を判定する管理装置制御部を備え、
前記管理装置記憶部は、前記管理装置制御部が関連付けて記憶すると判定した情報を関連付けて記憶する
ことを特徴とする請求項１に記載の情報表示システム。
【請求項３】
前記管理装置制御部は、前記商品情報を一意に特定する情報で特定される商品情報を、当該商品情報を一意に特定する情報と関連付けて前記管理装置記憶部が記憶している前記情報表示装置を一意に特定する情報で特定される前記情報表示装置と、当該情報表示装置を一意に特定する情報と関連付けて前記管理装置記憶部が記憶している前記大型情報表示装置を一意に特定する情報で特定される前記大型情報表示装置とに表示させる
ことを特徴とする請求項２に記載の情報表示システム。
【請求項４】
情報表示装置と、大型情報表示装置と、管理装置と、ハンディ端末とを含む情報表示システムに含まれる管理装置であって、
前記ハンディ端末から送信される前記情報表示装置を一意に特定する情報と、前記大型情報表示装置を一意に特定する情報とを受信する管理装置受信部と、
前記情報表示装置を一意に特定する情報と、前記大型情報表示装置を一意に特定する情報とを関連付けて記憶する管理装置記憶部と、
を備えたことを特徴とする管理装置。
【請求項５】
前記ハンディ端末から送信される前記情報表示装置を一意に特定する情報と、前記大型情報表示装置を一意に特定する情報と、前記商品を一意に特定する情報とを、前記管理装置記憶部が関連付けて記憶する情報を判定する管理装置制御部を備え、
前記管理装置記憶部は、前記管理装置制御部が関連付けて記憶すると判定した情報を関連付けて記憶する
ことを特徴とする請求項４に記載の管理装置。
【請求項６】
前記管理装置制御部は、前記商品情報を一意に特定する情報で特定される商品情報を、当該商品情報を一意に特定する情報と関連付けて前記管理装置記憶部が記憶している前記情報表示装置を一意に特定する情報で特定される前記情報表示装置と、当該情報表示装置を一意に特定する情報と関連付けて前記管理装置記憶部が記憶している前記大型情報表示装置を一意に特定する情報で特定される前記大型情報表示装置とに表示させる
ことを特徴とする請求項５に記載の管理装置。
【請求項７】
前記情報表示装置は電子棚札端末であり、前記大型情報表示装置は大型電子棚札端末である
ことを特徴とする請求項１から請求項３のいずれか１項に記載の情報表示システム。
【発明の詳細な説明】
【技術分野】
【０００１】
本発明は、情報表示システムおよび管理装置に関する。
【背景技術】
【０００２】
ハンディ端末を用いて、商品に付されている商品コードと、電子棚札端末に付されている装置コードとを読み取り、読み取った商品コードと装置コートとに基づいて商品情報ファイルを作成する電子棚札システムが知られている（例えば、特許文献１参照）。
【０００３】
また、特定の商品を説明する商品情報と、この商品が陳列されている位置に配置された電子棚札端末および掲示板に配置された電子棚札端末とを関連付けることにより、複数の電子棚札端末に同一の商品情報を表示させる電子棚札システムが知られている（例えば、特許文献２参照）。
【０００４】
また、ＥＳＬ（Ｅｌｅｃｔｒｏｎｉｃ  ｓｈｅｌｆ  ｌａｂｅｌ、電子棚札）管理サーバが、電子棚札端末と大型電子棚札端末とを識別して、電子棚札端末と大型電子棚札端末とに適した表示データを各端末に送信し、電子棚札端末と大型電子棚札端末とがそれぞれ送信された表示データに基づいた表示を行うことが知られている（例えば、特許文献３参照）。
【先行技術文献】
【特許文献】
【０００５】
【特許文献１】特開２００７−２２２６４５号公報
【特許文献２】特開２００７−２２６７１３号公報
【特許文献３】特開２００３−０５８９４８号公報
【発明の概要】
【発明が解決しようとする課題】
【０００６】
しかしながら、上記の技術では、大型情報表示装置と情報表示装置との２種類の表示装置が、自在に連携して表示を行うことができないという問題がある。
【０００７】
本発明は上記の点に鑑みてなされたものであり、大型情報表示装置と情報表示装置との２種類の表示装置が、自在に連携して表示を行うことができる情報表示システムおよび管理装置を提供することを目的とする。
【課題を解決するための手段】
【０００８】
本発明は、情報表示装置と、大型情報表示装置と、管理装置と、ハンディ端末とを含む情報表示システムにおいて、前記ハンディ端末は、情報表示装置を一意に特定する情報と、大型情報表示装置を一意に特定する情報との入力を受け付ける入力部と、前記情報表示装置を一意に特定する情報と、前記大型情報表示装置を一意に特定する情報とを前記管理装置に送信する送信部と、を備え、前記管理装置は、前記ハンディ端末の送信部から送信される情報を受信する管理装置受信部と、前記情報表示装置を一意に特定する情報と、前記大型情報表示装置を一意に特定する情報とを関連付けて記憶する管理装置記憶部と、を備えたことを特徴とする情報表示システムである。
【０００９】
また、本発明の情報表示システムにおいて、前記入力部は、さらに、商品を一意に特定する情報の入力を受け付け、前記送信部は、前記情報表示装置を一意に特定する情報と、前記大型情報表示装置を一意に特定する情報と、前記商品を一意に特定する情報とを前記管理装置に送信し、前記管理装置は、前記送信部から送信された、前記情報表示装置を一意に特定する情報と、前記大型情報表示装置を一意に特定する情報と、前記商品を一意に特定する情報とを、前記管理装置記憶部が関連付けて記憶する情報を判定する管理装置制御部を備え、前記管理装置記憶部は、前記管理装置制御部が関連付けて記憶すると判定した情報を関連付けて記憶することを特徴とする。
【００１０】
また、本発明の情報表示システムにおいて、前記管理装置制御部は、前記商品情報を一意に特定する情報で特定される商品情報を、当該商品情報を一意に特定する情報と関連付けて前記管理装置記憶部が記憶している前記情報表示装置を一意に特定する情報で特定される前記情報表示装置と、当該情報表示装置を一意に特定する情報と関連付けて前記管理装置記憶部が記憶している前記大型情報表示装置を一意に特定する情報で特定される前記大型情報表示装置とに表示させることを特徴とする。
【００１１】
また、本発明は、情報表示装置と、大型情報表示装置と、管理装置と、ハンディ端末とを含む情報表示システムに含まれる管理装置であって、前記ハンディ端末から送信される前記情報表示装置を一意に特定する情報と、前記大型情報表示装置を一意に特定する情報とを受信する管理装置受信部と、前記情報表示装置を一意に特定する情報と、前記大型情報表示装置を一意に特定する情報とを関連付けて記憶する管理装置記憶部と、を備えたことを特徴とする管理装置である。
【００１２】
また、本発明は、前記ハンディ端末から送信される前記情報表示装置を一意に特定する情報と、前記大型情報表示装置を一意に特定する情報と、前記商品を一意に特定する情報とを、前記管理装置記憶部が関連付けて記憶する情報を判定する管理装置制御部を備え、前記管理装置記憶部は、前記管理装置制御部が関連付けて記憶すると判定した情報を関連付けて記憶することを特徴とする管理装置である。
【００１３】
また、本発明の管理装置において、前記管理装置制御部は、前記商品情報を一意に特定する情報で特定される商品情報を、当該商品情報を一意に特定する情報と関連付けて前記管理装置記憶部が記憶している前記情報表示装置を一意に特定する情報で特定される前記情報表示装置と、当該情報表示装置を一意に特定する情報と関連付けて前記管理装置記憶部が記憶している前記大型情報表示装置を一意に特定する情報で特定される前記大型情報表示装置とに表示させることを特徴とする。
【００１４】
また、本発明の情報表示システムにおいて、前記情報表示装置は電子棚札端末であり、前記大型情報表示装置は大型電子棚札端末であることを特徴とする。
【発明の効果】
【００１５】
本発明によれば、大型情報表示装置と情報表示装置との２種類の表示装置が、自在に連携して表示を行うことができる。
【図面の簡単な説明】
【００１６】
【図１】本発明の第１の実施形態における電子棚札システムを含んだ販売店システムの構成を示したブロック図である。
【図２】本発明の第１の実施形態における電子棚札端末の構成を示したブロック図である。
【図３】本発明の第１の実施形態における大型電子棚札端末の構成を示したブロック図である。
【図４】本発明の第１の実施形態におけるＥＳＬサーバの構成を示したブロック図である。
【図５】本発明の第１の実施形態におけるハンディ端末の構成を示したブロック図である。
【図６】本発明の第１の実施形態における棚の外観を示した概略図である。
【図７】本発明の第１の実施形態における管理情報データベースのデータ構造を示した概略図である。
【図８】本発明の第１の実施形態における大型ＥＳＬ情報データベースのデータ構造を示した概略図である。
【図９】本発明の第１の実施形態における電子棚札端末の表示部が表示する商品情報表示画面を示した概略図である。
【図１０】本発明の第１の実施形態における大型電子棚札端末の表示入力部が表示するおすすめ品表示画面を示した概略図である。
【図１１】本発明の第１の実施形態において、ＥＳＬ情報に大型ＥＳＬ情報を関連付けて記憶させる手順を示したフローチャートである。
【図１２】本発明の第２の実施形態における商品情報データベースのデータ構造を示した概略図である。
【図１３】本発明の第２の実施形態において、ＥＳＬ情報に商品情報および大型ＥＳＬ情報を関連付けて記憶させる手順を示したフローチャートである。
【発明を実施するための形態】
【００１７】
（第１の実施形態）
以下、図面を参照しながら本発明の第１の実施形態について説明する。図１は、本実施形態の電子棚札システムを含んだ販売店システムの構成を示したブロック図である。図示する例では、販売店システムは、電子棚札システムと、ＰＯＳ（Ｐｏｉｎｔ  ｏｆ  ｓａｌｅｓ）サーバ７と、ＰＯＳレジスタ８とを備えている。また、電子棚札システムは、電子棚札端末１と、大型電子棚札端末２と、ＥＳＬ（Ｅｌｅｃｔｒｏｎｉｃ  ｓｈｅｌｆ  ｌａｂｅｌ、電子棚札）サーバ３（管理装置）と、アクセスポイント４と、中継機５−１〜５−３と、ハンディ端末６とを備えている。ＥＳＬサーバ３とＰＯＳサーバ７とはバックヤード１００に設置されている。電子棚札端末１と、大型電子棚札端末２と、アクセスポイント４と、中継機５−１〜５−３と、ＰＯＳレジスタ８とは店舗２００に設置されている。
【００１８】
ＥＳＬサーバ３と、アクセスポイント４、中継機５−１，４−２、ＰＯＳサーバ７およびＰＯＳレジスタ８とは有線ネットワークで接続されており、互いにデータ通信を行うことができる。また、アクセスポイント４と、中継機５−３およびハンディ端末６とは無線ＬＡＮなどの無線ネットワークで接続されており、互いにデータ通信を行うことができる。また、電子棚札端末１及び大型電子棚札端末２と中継機５−１〜５−３とは、近距離無線方式（例えば、ＩＥＥＥ８０２．１５．４）を用いた無線ネットワークで接続されており、互いにデータ通信を行うことができる。これにより、電子棚札端末１及び大型電子棚札端末２とＥＳＬサーバ３とは互いにデータ通信を行うことができる。また、ＥＳＬサーバ３とハンディ端末６とは互いにデータ通信を行うことができる。
【００１９】
なお、電子棚札端末１及び大型電子棚札端末２と中継機５−１〜５−３との間の無線ネットワークで近距離無線方式を用いることにより、電子棚札端末１及び大型電子棚札端末２を小型化および長電池寿命化することができ、電子棚札端末１及び大型電子棚札端末２と中継機５−１〜５−３との間の通信速度を高速化することができる。
【００２０】
電子棚札端末１は商品の価格や説明などを表示する。大型電子棚札端末２は、大型の液晶ディスプレイやタッチパネルなどを備え、商品の販売促進用の情報などを表示する。また、大型電子棚札端末２は、大型の液晶ディスプレイやタッチパネルなどを供えているため、一度に複数の商品の情報など、多量の情報を一度に表示することができる。
【００２１】
ＥＳＬサーバ３は電子棚札端末１と大型電子棚札端末２との管理を行う。アクセスポイント４と中継機５−１〜５−３とはデータ通信を中継する。ハンディ端末６は、ＥＳＬサーバ３に入力する情報を受け付け、この情報をＥＳＬサーバ３に送信する。ＰＯＳサーバ７は、商品の情報や、売り上げ情報などを管理する。ＰＯＳレジスタ８は、顧客が購入する商品の精算処理を行う。
【００２２】
次に、電子棚札端末１の構成について説明する。図２は、本実施形態における電子棚札端末１の構成を示したブロック図である。図示する例では、電子棚札端末１は、制御部１１と、表示部１２と、記憶部１３と、無線通信部１４と、電池１５とを備える。
【００２３】
制御部１１は、電子棚札端末１が備える各部の制御を行う。表示部１２は液晶表示装置などであり、商品の名前や商品の価格などを表示する。記憶部１３は、電子棚札端末１の各部が処理の途中で使用するデータを一時記憶する。無線通信部１４は、中継機５−１〜５−３を介して、ＥＳＬサーバ３とデータの送受信を行う。電池１５は、電子棚札端末１が備える各部に電力を供給する。
【００２４】
次に、大型電子棚札端末２の構成について説明する。図３は、本実施形態における大型電子棚札端末２の構成を示したブロック図である。図示する例では、大型電子棚札端末２は、制御部２１と、表示入力部２２と、記憶部２３と、無線通信部２４と、電池２５とを備える。
【００２５】
制御部２１は、大型電子棚札端末２が備える各部の制御を行う。表示入力部２２はタッチパネルなどであり、商品の販売促進用の情報などを表示し、操作者からの入力を受け付ける。記憶部２３は、大型電子棚札端末２の各部が処理の途中で使用するデータを一時記憶する。無線通信部２４は、中継機５−１〜５−３を介して、ＥＳＬサーバ３とデータの送受信を行う。電池２５は、大型電子棚札端末２が備える各部に電力を供給する。
【００２６】
次に、ＥＳＬサーバ３の構成について説明する。図４は、本実施形態におけるＥＳＬサーバ３の構成を示したブロック図である。図示する例では、ＥＳＬサーバ３は、管理装置制御部３１と、管理装置記憶部３３と、管理装置通信部３４（管理装置受信部）とを備える。
【００２７】
管理装置制御部３１は、ＥＳＬサーバ３が備える各部の制御を行う。管理装置記憶部３３は管理情報データベースを記憶する。管理情報データベースについては後述する。管理装置通信部３４は、中継機５−１〜５−３を介して、電子棚札端末１と、大型電子棚札端末２と、ハンディ端末６とデータの送受信を行う。
【００２８】
次に、ハンディ端末６の構成について説明する。図５は、本実施形態におけるハンディ端末６の構成を示したブロック図である。図示する例では、ハンディ端末６は、制御部６１と、表示部６２と、記憶部６３と、無線通信部６４と、電池６５と、入力部６６とを備える。
【００２９】
制御部６１は、ハンディ端末６が備える各部の制御を行う。表示部６２は液晶表示装置などであり、入力部６６が入力を受け付けた情報を表示する。記憶部６３は、ハンディ端末６の各部が処理の途中で使用するデータを一時記憶する。無線通信部６４は、アクセスポイント４を介して、ＥＳＬサーバ３とデータの送受信を行う。電池６５は、ハンディ端末６が備える各部に電力を供給する。入力部６６は、バーコードリーダや入力ボタンなどを備え、ＥＳＬサーバ３に入力する情報を受け付ける。
【００３０】
次に、電子棚札端末１と大型電子棚札端末２とが設置される棚について説明する。図６は、本実施形態における電子棚札端末１と大型電子棚札端末２とが設置される棚の外観を示した概略図である。図示する例では、棚１０１と棚１０２とが示されている。
【００３１】
棚１０１の上部には大型電子棚札端末２−１が設置されている。棚１０２の上部には大型電子棚札端末２−２が設置されている。棚１０１は、商品を配置する棚板１１１〜棚板１１４を上から順に備えている。棚板１１１には左側から順に電子棚札端末１−１〜１−３が設置されている。また、棚板１１２には左側から順に電子棚札端末１−４〜１−７が設置されている。また、棚板１１３には左側から順に電子棚札端末１−８〜１−１０が設置されている。また、棚板１１４には左側から順に電子棚札端末１−１１〜１−１２が設置されている。
【００３２】
棚１０２は、商品を配置する棚板１１５〜棚板１１８を上から順に備えている。棚板１１５には左側から順に電子棚札端末１−１３〜１−１５が設置されている。また、棚板１１６には左側から順に電子棚札端末１−１６〜１−１９が設置されている。また、棚板１１７には左側から順に電子棚札端末１−２０〜１−２２が設置されている。また、棚板１１８には左側から順に電子棚札端末１−２３〜１−２４が設置されている。
【００３３】
次に、ＥＳＬサーバ３の管理装置記憶部３３が記憶する管理情報データベースについて説明する。管理情報データベースは、電子棚札端末１の情報を示すＥＳＬ情報と、電子棚札端末１と大型電子棚札端末２とが表示する商品の商品情報と、大型電子棚札端末２の情報を示す大型ＥＳＬ情報とを関連付けて記憶している。
【００３４】
ＥＳＬ情報は、「ＥＳＬコード」と、「サイズ」と、「カラー」とを含む情報である。商品情報は、「商品コード」と、「商品名」と、「産地」と、「価格」と、「説明１」と、「説明２」とを含む情報である。大型ＥＳＬ情報は、「大型ＥＳＬコード」と、「サイズ」と、「カラー」と、「表示データ」とを含む情報である。
【００３５】
図７は、本実施形態におけるＥＳＬサーバ３の管理装置記憶部３３が記憶する管理情報データベースのデータ構造を示した概略図である。
【００３６】
管理情報データベースは表形式のデータ構造を有しており、「ＥＳＬコード」と、「サイズ」と、「カラー」と、「商品コード」と、「商品名」と、「産地」と、「価格」と、「説明１」と、「説明２」と、「大型ＥＳＬコード」と、「サイズ」と、「カラー」と、「表示データ」とのデータ項目を有する。また、管理情報データベースは、各データ項目の情報を行毎に関連付けて記憶している。
【００３７】
「ＥＳＬコード」は、電子棚札システムに含まれる電子棚札端末１を一意に特定する識別子である。「サイズ」は、電子棚札端末１の大きさを示す情報である。具体的には、サイズ「Ｓ」は、電子棚札端末１の大きさは小型であることを示す。また、サイズ「Ｍ」は、電子棚札端末１の大きさは中型であることを示す。
【００３８】
「カラー」は、電子棚札端末１が備える表示部１２が表示することができる色を示す情報である。具体的には、カラー「カラー」は、電子棚札端末１が備える表示部１２はカラー表示を行うことができることを示す。また、カラー「モノクロ」は、電子棚札端末１が備える表示部１２はモノクロ表示を行うことができることを示す。
【００３９】
「商品コード」は、商品の種類を一意に特定する識別子である。「商品名」は、商品の名称である。「産地」は商品の産地である。「価格」は商品の価格である。「説明１」と「説明２」とは商品を説明する文章である。「大型ＥＳＬコード」は、電子棚札システムに含まれる大型電子棚札端末２を一意に特定する識別子である。「サイズ」は、大型電子棚札端末２の大きさを示す情報である。具体的には、サイズ「Ｌ」は、大型電子棚札端末２の大きさは大型であることを示す。また、サイズ「ＬＬ」は、大型電子棚札端末２の大きさは特大型であることを示す。
【００４０】
「カラー」は、大型電子棚札端末２が備える表示入力部２２が表示することができる色を示す情報である。具体的には、カラー「カラー」は、大型電子棚札端末２が備える表示入力部２２はカラー表示を行うことができることを示す。また、カラー「モノクロ」は、大型電子棚札端末２が備える表示入力部２２はモノクロ表示を行うことができることを示す。「表示データ」は、大型電子棚札端末２の表示入力部２２が表示する表示内容を特定する情報である。具体的には、表示データ「説明１」は、大型電子棚札端末２の表示入力部２２が商品情報の「説明１」の内容を表示することを示す。また、表示データ「説明２」は、大型電子棚札端末２の表示入力部２２が商品情報の「説明２」の内容を表示することを示す。
【００４１】
次に、管理情報の各行が示す内容について説明する。例えば、行７０１に示す例では、ＥＳＬコード「１００１」で特定される電子棚札端末１のサイズは「Ｍ」であり、カラーは「モノクロ」であることを示している。
【００４２】
また、ＥＳＬコード「１００１」で特定される電子棚札端末１が表示する商品の商品コードは「１１１」であり、商品名は「草加煎餅」であり、産地は「新潟」であり、価格は「１００」であり、説明１は「新潟県のお米使用」であり、説明２は「新潟と言えばコシ・・・」であることを示している。また、ＥＳＬコード「１００１」で特定される電子棚札端末１に関連付けられている大型電子棚札端末２の大型ＥＳＬコードは「１０１００１」であり、サイズは「ＬＬ」であり、カラーは「モノクロ」であり、表示データは「説明２」であることを示している。他の行が示す内容については図示するとおりである。
【００４３】
次に、ＥＳＬサーバ３の管理装置記憶部３３が記憶する大型ＥＳＬ情報データベースについて説明する。図８は本実施形態におけるＥＳＬサーバ３の管理装置記憶部３３が記憶する大型ＥＳＬ情報データベースのデータ構造を示した概略図である。大型ＥＳＬ情報データベースは表形式のデータ構造を有しており、「大型ＥＳＬコード」と、「サイズ」と、「カラー」と、「表示データ」とのデータ項目を有する。また、大型ＥＳＬ情報データベースは、各データ項目の情報を行毎に関連付けて記憶している。
【００４４】
「大型ＥＳＬコード」は、電子棚札システムに含まれる大型電子棚札端末２を一意に特定する識別子である。「サイズ」は、大型電子棚札端末２の大きさを示す情報である。「カラー」は、大型電子棚札端末２が備える表示入力部２２が表示することができる色を示す情報である。「表示データ」は、大型電子棚札端末２の表示入力部２２が表示する表示内容を特定する情報である。
【００４５】
次に、大型ＥＳＬ情報の各行が示す内容について説明する。例えば、行８０１に示す例では、大型ＥＳＬコード「１０１００１」で特定される大型電子棚札端末２のサイズは「ＬＬ」であり、カラーは「モノクロ」であり、表示データは「説明２」であることを示している。他の行が示す内容については図示するとおりである。
【００４６】
次に、電子棚札端末１の表示部１２が表示する画面例について図９に基づいて説明する。電子棚札端末１の表示部１２が画面を表示する方法としては、ＥＳＬサーバ３が図９に示す商品名などを含んだ画像を表示するための画像データを作成して電子棚札端末１に送信し、電子棚札端末１の表示部１２が、送信された画像データに基づいた画像を表示する方法がある。なお、電子棚札端末１の表示部１２が画面を表示する方法はこの方法に限らず、どのような方法を用いてもよい。例えば、ＥＳＬサーバ３が図９に示す画面に含まれる商品名などの各種の情報を電子棚札端末１に送信し、電子棚札端末１の制御部１１が、送信された情報に基づいて図９に示す商品名などを含んだ画像を表示するための画像データを作成し、表示部１２がこの画像データに基づいた画像を表示する方法を用いてもよい。
【００４７】
図９は、本実施形態における電子棚札端末１の表示部１２が表示する「商品情報表示画面」を示した概略図である。電子棚札端末１の前面には、表示部１２と、バーコード１７とが設けられている。バーコード１７は、ＥＳＬコードを示すバーコードである。商品情報表示画面は、画面上部に「商品名」を表示し、画面中央部に「説明１」を表示し、画面下部に「価格」を表示する。
【００４８】
図示する例では、電子棚札端末１の表示部１２は、「草加煎餅」を画面上部に表示し、「新潟県産のお米使用」を画面中央部に表示し、「１００円」を画面下部に表示している。これは、管理情報データベースが記憶する行７０１の情報に基づいた表示である。
【００４９】
次に、大型電子棚札端末２の表示入力部２２が表示する画面例について図１０に基づいて説明する。大型電子棚札端末２の表示入力部２２が画面を表示する方法としては、ＥＳＬサーバ３が図１０に示す商品名などを含んだ画像を表示するための画像データを作成して大型電子棚札端末２に送信し、大型電子棚札端末２の表示入力部２２が、送信された画像データに基づいた画像を表示する方法がある。なお、大型電子棚札端末２の表示入力部２２が画面を表示する方法はこの方法に限らず、どのような方法を用いてもよい。例えば、ＥＳＬサーバ３が図１０に示す画面に含まれる商品名などの各種の情報を大型電子棚札端末２に送信し、大型電子棚札端末２の制御部２１が、送信された情報に基づいて図１０に示す商品名などを含んだ画像を表示するための画像データを作成し、表示入力部２２がこの画像データに基づいた画像を表示する方法を用いてもよい。
【００５０】
図１０は、本実施形態における大型電子棚札端末２の表示入力部２２が表示する「おすすめ品表示画面」を示した概略図である。大型電子棚札端末２の前面には、表示入力部２２と、バーコード２７とが設けられている。バーコード２７は、大型ＥＳＬコードを示すバーコードである。おすすめ品表示画面は、タイトル表示領域２２０１と、商品情報表示領域２２０２と、指定情報表示領域２２０３とを含んでいる。
【００５１】
タイトル表示領域２２０１は、画面のタイトルを表示する領域である。商品情報表示領域２２０２は、商品情報を表示する領域である。指定情報表示領域２２０３は、表示データで指定される情報を表示する領域である。
【００５２】
図示する例では、大型電子棚札端末２の表示入力部２２は、「本日のおすすめ品」をタイトル表示領域２２０１に表示している。また、表示入力部２２は、「草加煎餅  新潟県産のお米使用  １００円」を商品情報表示領域２２０２に表示している。また、表示入力部２２は、「新潟と言えば、コシ・・・」を指定情報表示領域２２０３に表示している。これは、管理情報データベースが記憶する行７０１の情報に基づいた表示である。
【００５３】
次に、ＥＳＬサーバ３が、電子棚札端末１と大型電子棚札端末２とを関連付けて管理情報データベースに記憶する手順について説明する。図１１は、管理情報データベースに記憶されているＥＳＬ情報に、大型ＥＳＬ情報を関連付けて記憶させる手順を示したフローチャートである。ＥＳＬサーバ３がこの手順で動作するモードを装置リンクモードとする。なお、本実施形態では、予め、ＥＳＬ情報と商品情報とを関連付けて管理情報データベースに記憶している。
【００５４】
（ステップＳ１０１）操作者は、ハンディ端末６の入力部６６が備えるバーコードリーダに、関連付けを行う大型電子棚札端末２に付されているバーコード２７を読み取らせる。ハンディ端末６の制御部６１は、読み取ったバーコード２７から大型電子棚札端末２の大型ＥＳＬコードを取得する。ハンディ端末６の無線通信部６４は、取得した大型ＥＳＬコードをＥＳＬサーバ３に送信する。ＥＳＬサーバ３の管理装置通信部３４は、ハンディ端末６から送信される大型ＥＳＬコードを受信する。その後、ステップＳ１０２の処理に進む。
【００５５】
（ステップＳ１０２）操作者は、ハンディ端末６の入力部６６が備えるバーコードリーダに、関連付けを行う電子棚札端末１に付されているバーコード１７を読み取らせる。ハンディ端末６の制御部６１は、読み取ったバーコード１７から電子棚札端末１のＥＳＬコードを取得する。ハンディ端末６の無線通信部６４は、取得したＥＳＬコードをＥＳＬサーバ３に送信する。ＥＳＬサーバ３の管理装置通信部３４は、ハンディ端末６から送信されるＥＳＬコードを受信する。その後、ステップＳ１０３の処理に進む。
【００５６】
（ステップＳ１０３）操作者は、ステップＳ１０１で読み取ったバーコード２７が付されている大型電子棚札端末２と、ステップＳ１０２で読み取ったバーコード１７が付されている電子棚札端末１との関連付けを実行する場合、ハンディ端末６の入力部６６が備える入力ボタンを用いて、確定情報を入力する。ハンディ端末６の無線通信部６４は、入力された確定情報をＥＳＬサーバ３に送信する。なお、ハンディ端末６の無線通信部６４は、入力部６６が確定情報の入力を受け付けていない場合は何も処理を行わない。ＥＳＬサーバ３の管理装置通信部３４は、ハンディ端末６から確定情報が送信された場合、確定情報を受信する。ＥＳＬサーバ３の制御部３１は、確定情報を受信したか否かを判定する。ＥＳＬサーバ３の制御部３１は、確定情報を受信したと判定した場合にはステップＳ１０４の処理に進み、それ以外の場合には処理を終了する。
【００５７】
（ステップＳ１０４）ＥＳＬサーバ３の制御部３１は、ステップＳ１０１で受信した大型ＥＳＬコードで特定される大型ＥＳＬ情報を、管理装置記憶部３３が記憶する大型ＥＳＬ情報データベースから読み出す。その後、ステップＳ１０５の処理に進む。
【００５８】
（ステップＳ１０５）ＥＳＬサーバ３の制御部３１は、ステップＳ１０２で受信したＥＳＬコードに、ステップＳ１０４で読み出した大型ＥＳＬ情報を関連付けて、管理装置記憶部２３が記憶する管理情報データベースに記憶させる。その後、処理を終了する。
【００５９】
上述したとおり、本実施形態によれば、ハンディ端末６が読み取った大型電子棚札端末２に付されているバーコード２７と、電子棚札端末１に付されているバーコード１７に基づいて、ＥＳＬサーバ３は電子棚札端末１と大型電子棚札端末２との関連付けを行い、図７に示した管理情報データベースに記憶させる。
【００６０】
これにより操作者は、ＥＳＬサーバ３が装置リンクモードで動作している際に、ハンディ端末６に、大型電子棚札端末２に付されているバーコード２７と電子棚札端末１に付されているバーコード１７とを読み取らせるだけで、電子棚札端末１と大型電子棚札端末２との関連付けとを行うことができる。
【００６１】
また、ＥＳＬサーバ３は、図７に示す管理情報データベースに記憶されている電子棚札端末１と大型電子棚札端末２と商品情報とに基づいて、図１０に示したように、電子棚札端末１に関連付けられている商品情報を、大型電子棚札端末２の表示入力部２２に表示させる。
【００６２】
なお、上述した例では、ステップＳ１０３において確定情報を受信した場合、ステップＳ１０４の処理に進む例を用いて説明したが、例えば、ステップＳ１０２の処理の後に、直接ステップＳ１０４の処理を実行するようにしてもよい。
【００６３】
この場合、ステップＳ１０１で、操作者が間違えて異なる大型電子棚札端末２に付されているバーコード２７を読み取らせた場合や、ステップＳ１０２で、操作者が間違えて異なる電子棚札端末１に付されているバーコード１７を読み取らせた場合に、操作者が確認操作を行うことなく自動的に管理情報データベースに記憶されるが、操作者がもう一度同様の処理を行うことで、正しい情報が管理情報データベースに記憶される。すなわち、この場合、ＥＳＬサーバ３は、最新の入力情報が正しい情報であるとして、管理情報データベースに上書きする。
【００６４】
このように、確定情報を用いることなく、電子棚札端末１と大型電子棚札端末２との関連付けとを行うこともできる。
【００６５】
（第２の実施形態）
次に、本発明の第２の実施形態について説明する。本実施形態では、電子棚札端末１に付されているバーコード１７と、大型電子棚札端末２に付されているバーコード２７と、商品に付されているバーコードとをハンディ端末６が読み取る順に基づいて、ＥＳＬサーバ３は、電子棚札端末１と商品との関連付けを行うのか、電子棚札端末１と大型電子棚札端末２との関連付けを行うのかを自動的に判定して、判定した関連付けの処理を行う。なお、商品に付されたバーコードは商品コードを示すバーコードである。
【００６６】
例えは、本実施形態では、ハンディ端末６が電子棚札端末１に付されているバーコードを読み取り、続いて商品に付されているバーコードを読み取った場合には、ＥＳＬサーバ３は電子棚札端末１と商品との関連付けを行うと判定する。そして、ＥＳＬサーバ３は、電子棚札端末１と商品との関連付けの処理を行う。
【００６７】
また、ハンディ端末６が電子棚札端末１に付されているバーコードを読み取り、続いて大型電子棚札端末２に付されているバーコードを読み取った場合には、ＥＳＬサーバ３は電子棚札端末１と大型電子棚札端末２との関連付けを行うと判定する。そして、ＥＳＬサーバ３は、電子棚札端末１と大型電子棚札端末２との関連付けの処理を行う。また、ハンディ端末６が上記以外の順番でバーコードを読み取った場合には、ＥＳＬサーバ３は処理を終了する（エラー処理を行う）。
【００６８】
これにより操作者は、ＥＳＬサーバ３の動作モードを切り替えることなく、電子棚札端末１と商品との関連付けと、電子棚札端末１と大型電子棚札端末２との関連付けとを行うことができる。
【００６９】
なお、本実施形態における電子棚札システムを含んだ販売店システムの構成は、第１の実施形態における電子棚札システムを含んだ販売店システムの構成と同様の構成である。また、本実施形態における電子棚札端末１の構成は、第１の実施形態における電子棚札端末１の構成と同様の構成である。また、本実施形態における大型電子棚札端末２の構成は、第１の実施形態における大型電子棚札端末２の構成と同様の構成である。また、本実施形態におけるＥＳＬサーバ３の構成は、第１の実施形態におけるＥＳＬサーバ３の構成と同様の構成である。また、本実施形態におけるハンディ端末６の構成は、第１の実施形態におけるハンディ端末６の構成と同様の構成である。また、本実施形態における棚１０１，１０２の外観は、第１の実施形態における棚１０１，１０２の外観と同様の外観である。
【００７０】
次に、ＰＯＳサーバ７が記憶する商品情報データベースについて説明する。図１２は本実施形態におけるＰＯＳサーバ７が記憶する商品情報データベースのデータ構造を示した概略図である。商品情報データベースは表形式のデータ構造を有しており、「商品コード」と、「商品名」と、「産地」と、「価格」と、「説明１」と、「説明２」とのデータ項目を有する。また、商品情報データベースは、各データ項目の情報を行毎に関連付けて記憶している。
【００７１】
「商品コード」は、商品の種類を一意に特定する識別子である。「商品名」は、商品の名称である。「産地」は、商品の産地である。「価格」は、商品の価格である。「説明１」と「説明２」とは、商品を説明する文章である。なお、「商品コード」には、「商品名」と、「産地」と、「価格」と、「説明１」と、「説明２」とが関連付けられており、「商品コード」を一意に特定すると、「商品名」と、「産地」と、「価格」と、「説明１」と、「説明２」とが一意に特定される。
【００７２】
次に、商品情報の各行が示す内容について説明する。例えば、行１００１に示す例では、商品コード「１１１」で特定される商品の商品名は「草加煎餅」であり、産地は「新潟」であり、価格は「１００」であり、説明１は「新潟県のお米使用」であり、説明２は「新潟と言えば、コシ・・・」であることを示している。他の行が示す内容については図示するとおりである。
【００７３】
次に、ＥＳＬサーバ３が、電子棚札端末１と商品とを関連付けて記憶する手順と、電子棚札端末１と大型電子棚札端末２とを関連付けて記憶する手順とについて説明する。図１３は、管理情報データベースに記憶されているＥＳＬ情報に、商品情報および大型ＥＳＬ情報を関連付けて記憶させる手順を示したフローチャートである。
【００７４】
（ステップＳ２０１）操作者は、ハンディ端末６の入力部６６が備えるバーコードリーダに、関連付けを行う電子棚札端末１に付されているバーコード１７を読み取らせる。ハンディ端末６の制御部６１は、読み取ったバーコード１７から電子棚札端末１のＥＳＬコードを取得する。ハンディ端末６の無線通信部６４は、取得したＥＳＬコードをＥＳＬサーバ３に送信する。ＥＳＬサーバ３の管理装置通信部３４は、ハンディ端末６から送信されるＥＳＬコードを受信する。ＥＳＬサーバ３の管理装置制御部３１は、管理装置通信部３４がＥＳＬコードを受信したか否かを判定する。ＥＳＬサーバ３の管理装置制御部３１は、管理装置通信部３４がＥＳＬコードを受信したと判定した場合にはステップＳ２０２の処理に進み、それ以外の場合には処理を終了する。
【００７５】
（ステップＳ２０２）操作者は、ハンディ端末６の入力部６６が備えるバーコードリーダに、関連付けを行う商品に付されているバーコードまたは大型電子棚札端末２に付されているバーコード２７を読み取らせる。ハンディ端末６の制御部６１は、読み取ったバーコードから商品コードまたは大型電子棚札端末２の大型ＥＳＬコードを取得する。ハンディ端末６の無線通信部６４は、取得した商品コードまたは大型ＥＳＬコードをＥＳＬサーバ３に送信する。ＥＳＬサーバ３の管理装置通信部３４は、ハンディ端末６から送信される商品コードまたはＥＳＬコードを受信する。ＥＳＬサーバ３の管理装置制御部３１は、管理装置通信部３４が商品コードを受信したか否かを判定する。ＥＳＬサーバ３の管理装置制御部３１は、管理装置通信部３４が商品コードを受信したと判定した場合にはステップＳ２０３の処理に進み、それ以外の場合にはステップＳ２０６の処理に進む。
【００７６】
（ステップＳ２０３）操作者は、ステップＳ２０１で読み取ったバーコードが付されている電子棚札端末１と、ステップＳ２０２で読み取ったバーコードが付されている商品との関連付けを実行する場合、ハンディ端末６の入力部６６が備える入力ボタンを用いて、確定情報を入力する。ハンディ端末６の無線通信部６４は、入力された確定情報をＥＳＬサーバ３に送信する。なお、ハンディ端末６の無線通信部６４は、入力部６６が確定情報の入力を受け付けていない場合は何も処理を行わない。ＥＳＬサーバ３の管理装置通信部３４は、ハンディ端末６から確定情報が送信された場合、確定情報を受信する。ＥＳＬサーバ３の制御部３１は、確定情報を受信したか否かを判定する。ＥＳＬサーバ３の制御部３１は、確定情報を受信したと判定した場合にはステップＳ２０４の処理に進み、それ以外の場合には処理を終了する。
【００７７】
（ステップＳ２０４）ＥＳＬサーバ３の制御部３１は、ステップＳ２０２で受信した商品コードで特定される商品情報を、ＰＯＳサーバ７が記憶するする商品情報データベースから読み出す。その後、ステップＳ２０５の処理に進む。
【００７８】
（ステップＳ２０５）ＥＳＬサーバ３の制御部３１は、ステップＳ２０１で受信したＥＳＬコードに、ステップＳ２０４で読み出した商品情報を関連付けて、管理装置記憶部２３が記憶する管理情報データベースに記憶させる。その後、処理を終了する。
【００７９】
（ステップＳ２０６）ＥＳＬサーバ３の管理装置制御部３１は、ステップＳ２０２で管理装置通信部３４が大型ＥＳＬコードを受信したか否かを判定する。ＥＳＬサーバ３の管理装置制御部３１は、ステップＳ２０２で管理装置通信部３４が大型ＥＳＬコードを受信したと判定した場合にはステップＳ２０７の処理に進み、それ以外の場合には処理を終了する。
【００８０】
（ステップＳ２０７）操作者は、ステップＳ２０１で読み取ったバーコード１７が付されている電子棚札端末１と、ステップＳ２０２で読み取ったバーコード２７が付されている大型電子棚札端末２との関連付けを実行する場合、ハンディ端末６の入力部６６が備える入力ボタンを用いて、確定情報を入力する。ハンディ端末６の無線通信部６４は、入力された確定情報をＥＳＬサーバ３に送信する。なお、ハンディ端末６の無線通信部６４は、入力部６６が確定情報の入力を受け付けていない場合は何も処理を行わない。ＥＳＬサーバ３の管理装置通信部３４は、ハンディ端末６から確定情報が送信された場合、確定情報を受信する。ＥＳＬサーバ３の制御部３１は、確定情報を受信したか否かを判定する。ＥＳＬサーバ３の制御部３１は、確定情報を受信したと判定した場合にはステップＳ２０８の処理に進み、それ以外の場合には処理を終了する。
【００８１】
（ステップＳ２０８）ＥＳＬサーバ３の制御部３１は、ステップＳ２０２で受信した大型ＥＳＬコードで特定される大型ＥＳＬ情報を、管理装置記憶部３３が記憶するする大型ＥＳＬ情報データベースから読み出す。その後、ステップＳ２０９の処理に進む。
【００８２】
（ステップＳ２０９）ＥＳＬサーバ３の制御部３１は、ステップＳ２０１で受信したＥＳＬコードに、ステップＳ２０８で読み出した大型ＥＳＬ情報を関連付けて、管理装置記憶部２３が記憶する管理情報データベースに記憶させる。その後、処理を終了する。
【００８３】
上述したとおり、電子棚札端末１に付されているバーコードと、大型電子棚札端末２に付されているバーコードと、商品に付されているバーコードとをハンディ端末６が読み取った順に基づいて、ＥＳＬサーバ３は、電子棚札端末１と商品との関連付けを行うのか、電子棚札端末１と大型電子棚札端末２との関連付けを行うのかを自動的に判定して、判定した関連付けの処理を行う。そして、ＥＳＬサーバ３の管理装置制御部３１は、電子棚札端末１と商品との関連付けと、電子棚札端末１と大型電子棚札端末２との関連付けとを行った情報を、図７に示した管理情報データベースに記憶させる。
【００８４】
これにより操作者は、ＥＳＬサーバ３の動作モードを切り替えることなく、電子棚札端末１と商品との関連付けと、電子棚札端末１と大型電子棚札端末２との関連付けとを行うことができる。
【００８５】
また、ＥＳＬサーバ３は、図７に示す管理情報データベースに記憶されている電子棚札端末１と大型電子棚札端末２と商品情報とに基づいて、図１０に示したように、電子棚札端末１に関連付けられている商品情報を、大型電子棚札端末２の表示入力部２２に表示させる。
【００８６】
なお、上述した例では、ステップＳ２０３において確定情報を受信した場合、ステップＳ２０４の処理に進む例を用いて説明したが、例えば、ステップＳ２０２の処理の後に、直接ステップＳ２０４の処理を実行するようにしてもよい。同様に、ステップＳ２０６において確定情報を受信した場合、ステップＳ２０７の処理に進む例を用いて説明したが、例えば、ステップＳ２０６の処理の後に、直接ステップＳ２０８の処理を実行するようにしてもよい
【００８７】
この場合、ステップＳ２０１で、操作者が間違えて異なる電子棚札端末１に付されているバーコード１７を読み取らせた場合や、ステップＳ２０６で、操作者が間違えて異なる大型電子棚札端末２に付されているバーコード２７を読み取らせた場合に、操作者が確認操作を行うことなく自動的に管理情報データベースに記憶されるが、操作者がもう一度同様の処理を行うことで、正しい情報が管理情報データベースに記憶される。すなわち、この場合、ＥＳＬサーバ３は、最新の入力情報が正しい情報であるとして、管理情報データベースに上書きする。
【００８８】
このように、確定情報を用いることなく、電子棚札端末１と商品との関連付けと、電子棚札端末１と大型電子棚札端末２との関連付けとを行うこともできる。
【００８９】
なお、上述した第１の実施形態および第２の実施形態では、電子棚札端末１と商品情報とが関連付けられているが、電子棚札端末１に関連付けられる情報はこれに限らない。例えば、電子棚札端末１と、電子棚札端末１が設置されている位置を示す位置情報とを関連付けてもよい。これにより、電子棚札端末１と大型電子棚札端末２とを関連付けることで、大型電子棚札端末２と位置情報とを関連付けることも可能となる。
【００９０】
また、上述した第１の実施形態および第２の実施形態では、大型電子棚札端末２が大型の液晶ディスプレイやタッチパネルなどを備えた例を用いて説明したが、これに限らない。例えは、大型電子棚札端末２は、一度に複数の商品の情報など、多量の情報を一度に表示することができる装置であればよい。具体的には、プロジェクタやヘッドマウントディスプレイのように、物理的には大型ではないが、表示可能な情報量が多い装置を大型電子棚札端末２として用いても良い。
【００９１】
以上、図面を参照して本発明の実施形態について詳しく説明してきたが、具体的な構成は上述のものに限られることはなく、この発明の要旨を逸脱しない範囲内において様々な設計変更等をすることが可能である。
【００９２】
例えば、上記の実施形態では、電子棚札システムをスーパーマーケットやコンビニエンスストア等の小売店で用いる例に基づいて説明したが、本発明は上記に限られるものではない。例えば、銀行や倉庫などにおいて、電子棚札端末を各種の情報を表示する情報表示装置として用いてもよい。なお、情報表示装置の構成は電子棚札端末１の構成と同様の構成である。
【符号の説明】
【００９３】
１，１−１〜１−２４・・・電子棚札端末、２，２−１〜２−２・・・大型電子棚札端末、３・・・ＥＳＬサーバ、４・・・アクセスポイント、５−１〜５−３・・・中継機、６・・・ハンディ端末、７・・・ＰＯＳサーバ、８・・・ＰＯＳレジスタ、１１，２１，６１・・・制御部、１２，６２・・・表示部、１３，２３，６３・・・記憶部、１４，２４，６４・・・無線通信部、１５，２５，６５・・・電池、１７，２７・・・バーコード、２２・・・表示入力部、３１・・・管理装置制御部、３３・・・管理装置記憶部、３４・・・管理装置通信部、６６・・・入力部、１００・・・バックヤード、１０１，１０２・・・棚、１１１〜１１８・・・棚板、２００・・・店舗
【図１】
2011096040.tif 000003
【図２】
2011096040.tif 000004
【図３】
2011096040.tif 000005
【図４】
2011096040.tif 000006
【図５】
2011096040.tif 000007
【図６】
2011096040.tif 000008
【図７】
2011096040.tif 000009
【図８】
2011096040.tif 000010
【図９】
2011096040.tif 000011
【図１０】
2011096040.tif 000012
【図１１】
2011096040.tif 000013
【図１２】
2011096040.tif 000014
【図１３】
2011096040.tif 000015